(57)【要約】      （修正有）【課題】ミニSDカードが位置決められ、簡単な構造を有するメモリカードのアダプタを提供する。【解決手段】ベース１０と、複数の接続端子２１と、上蓋３０と、カバー４０とを備えるメモリカードのアダプタであって、前記ベースは、断面がコ字形のプレートであり、一端にミニSDカードを収容するための挿入溝１１が形成されると共に、他端に複数の貫通溝１２が形成され、両側に上面に結合用の溝１４を有する側壁が設けられ、前記ベースの貫通溝にミニSDカードと接続可能の接続端子が設けられ、前記上蓋は、貫通溝を有するベースの一端に設けられる金属プレートであり、一端の両側に前記溝と対応すると共に、中央に凹部を有する係合プレート３１が設けられ、その一側に湾曲状の位置決めプレート３２が設けられ、前記カバーは、上蓋をカバーすることを特徴とする。【選択図】図１
0003113044.tif 000002
【実用新案登録請求の範囲】
【請求項１】
ベースと、複数の接続端子と、上蓋と、カバーとを備えるメモリカードのアダプタであって、
前記ベースは、断面がコ字形のプレートであり、一端にミニSDカードを収容するための挿入溝が形成されると共に、他端に複数の貫通溝が形成され、両側に上面に結合用の溝を有する側壁が設けられ、
前記ベースの貫通溝にミニSDカードと接続可能の接続端子が設けられ、
前記上蓋は、貫通溝を有するベースの一端に設けられる金属プレートであり、一端の両側に前記溝と対応すると共に、中央に凹部を有する係合プレートが設けられ、その一側に湾曲状の位置決めプレートが設けられ、
前記カバーは、上蓋をカバーすることを特徴とするメモリカードのアダプタ。
【請求項２】
前記接続端子がベースの内部に収容する回路板に設けられることを特徴とする請求項１に記載のメモリカードのアダプタ。
【請求項３】
前記ベースに位置決めロッドが設けられると共に、回路板と上蓋に該位置決めロッドと対応する位置決め孔が形成されることを特徴とする請求項１に記載のメモリカードのアダプタ。
【請求項４】
前記ベースに位置決めロッドが設けられると共に、回路板と上蓋に該位置決めロッドと対応する位置決め孔が形成され、回路板に位置決めブロックが設けられると共に、上蓋に該位置決めブロックと対応する位置決め溝が形成されることを特徴とする請求項２に記載のメモリカードのアダプタ。
【請求項５】
前記ベースの側壁の内側に前記位置決めプレートを収容するためカットアウトが形成されることを特徴とする請求項１乃至４の何れに記載のメモリカードのアダプタ。
【考案の詳細な説明】
【技術分野】
【０００１】
本考案は、特にミニSDメモリカードから標準SDメモリカードに転換するメモリカードのアダプタに関するものである。
【背景技術】
【０００２】
メモリカードは、例えばSMカード、MMCカード、SDカード、XDカード及びMSカードが夫々異なるサイズを有している。又、電子製品の小型化に対応するために、前記メモリカードは更にミニサイズが開発されている。例えば、SDカードは、標準SDカードの他、ミニSDカードを有し、これらメモリカードの電気特性が完全に対応しあうが、サイズが異なるので、標準SDカードの読み取り機械によってミニSDカードを読み取るために、メモリカードのアダプタを使用している。
【０００３】
図５及び図６に示すように、前記メモリカードのアダプタは、一端にミニSDカードを収容するための挿入溝（８１）が形成され、他端に複数の貫通溝（８２）が形成され、両側壁の外側に係合リブ（８３）が設けられると共に、上面に結合用の溝（８５）が形成され、その一つの側壁の内側に挿入溝（８１）と連通する取付溝（８４）が形成される、断面がコ字形のベース（８０）と、
前記取付溝（８４）に設けられると共に、中段にミニSDカードを位置決めるために突出部（８６０）が設けられる位置決めプレート（８６）と、
前記貫通溝（８２）を有するベース（８０）の一端に設けられ、一端に貫通溝（８２）と対応する接続用端子が設けられると共に、他端にミニSDカードと接続用の接続端子（８７０）が設けられる回路板（８７）と、
前記貫通溝（８２）を有するベース（８０）の一端に設けられ、両側に前記係合リブ（８３）と対応する係合溝（８８１）を有する係合部（８８０）と係合プレート（８８２）が設けられ、該係合プレート（８８２）の両側に幅が前記溝（８５）よりやや大きい係止部が設けられる上蓋（８８）と、
前記上蓋（８８）をカバーするカバー（８９）と、を備える。
【考案の開示】
【考案が解決しようとする課題】
【０００４】
しかしながら、前記メモリカードのアダプタは、以下に示すような欠点を有する。
＜１＞挿入したミニSDカードを位置決めるために、ベース（８０）に突出部（８６０）を有する位置決めプレート（８６）を設けなければならなく、該位置決めプレート（８６）を設置するために、ベース（８０）に取付溝（８４）が形成する必要があるので、製造コストを増加すると共に、組合作業が複雑になるという問題があった。
＜２＞上蓋（８８）をベース（８０）に組合わせる際、係合部（８８０）の係合溝（８８１）をベース（８０）の係合リブ（８３）に結合する以外に、係合プレート（８８２）を強制に溝（８５）に押し込む必要があるので、非常に面倒である。
【０００５】
そこで、提案されたのが本考案であって、ミニSDカードが位置決められ、簡単な構造を有するメモリカードのアダプタを提供することを目的としている。
【課題を解決するための手段】
【０００６】
本願の請求項１の考案は、ベースと、複数の接続端子と、上蓋と、カバーとを備えるメモリカードのアダプタであって、
前記ベースは、断面がコ字形のプレートであり、一端にミニSDカードを収容するための挿入溝が形成されると共に、他端に複数の貫通溝が形成され、両側に上面に結合用の溝を有する側壁が設けられ、
前記ベースの貫通溝にミニSDカードと接続可能の接続端子が設けられ、
前記上蓋は、貫通溝を有するベースの一端に設けられる金属プレートであり、一端の両側に前記溝と対応すると共に、中央に凹部を有する係合プレートが設けられ、その一側に湾曲状の位置決めプレートが設けられ、
前記カバーは、上蓋をカバーすることを特徴とするメモリカードのアダプタ、を提供する。
【０００７】
本願の請求項２の考案は、前記接続端子がベースの内部に収容する回路板に設けられることを特徴とする請求項１に記載のメモリカードのアダプタ、を提供する。
【０００８】
本願の請求項３の考案は、前記ベースに位置決めロッドが設けられると共に、回路板と上蓋に該位置決めロッドと対応する位置決め孔が形成されることを特徴とする請求項１に記載のメモリカードのアダプタ、を提供する。
【０００９】
本願の請求項４の考案は、前記ベースに位置決めロッドが設けられると共に、回路板と上蓋に該位置決めロッドと対応する位置決め孔が形成され、回路板に位置決めブロックが設けられると共に、上蓋に該位置決めブロックと対応する位置決め溝が形成されることを特徴とする請求項２に記載のメモリカードのアダプタ、を提供する。
【００１０】
本願の請求項５の考案は、前記ベースの側壁の内側に前記位置決めプレートを収容するためカットアウトが形成されることを特徴とする請求項１乃至４の何れに記載のメモリカードのアダプタ、を提供する。
【考案の効果】
【００１１】
本考案は上記の課題を解決するものであり、上蓋と一体形成する位置決めプレートにより、ミニSDカードを位置決め、上蓋の係合プレートの中央に凹部が形成されることにより、係合プレートがスムーズにベースの溝に係止するので、メモリカードのアダプタの製造コストを下げると共に、組合作業もより簡単になる。
【考案を実施するための最良の形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係るメモリカードのアダプタの分解斜視図であり、図２は本考案に係るメモリカードのアダプタの斜視図であり、図３は本考案に係るメモリカードのアダプタの平面図であり、図４は本考案に係るメモリカードのアダプタの断面図である。
【００１４】
図１乃至図４に示すように、本考案は、ベース（１０）と、複数の接続端子（２１）と、上蓋（３０）と、カバー（４０）とを備えるメモリカードのアダプタであって、
前記ベース（１０）は、標準SDカードのサイズを有すると共に、断面がコ字形のプレートであり、一端にミニSDカードを収容するための挿入溝（１１）が形成されると共に、他端に位置決めロッド（１５）と複数の貫通溝（１２）が形成され、両側に上面に結合用の溝（１４）を有する側壁が設けられ、その一つの側壁の内側にカットアウト（１３）が形成され、
前記ベース（１０）の貫通溝（１２）にミニSDカードと接続可能の接続端子（２１）が設けられ、本実施例において、該接続端子（２１）がベース（１０）の内部に収容する回路板（２０）に設けられ、該回路板（２０）にベース（１０）の位置決めロッド（１５）と結合する第１位置決め孔（２２）と位置決めブロック（２３）が設けられ、
前記上蓋（３０）は、貫通溝（１２）を有するベース（１０）の一端に設けられる金属プレートであり、一端の両側に夫々係合プレート（３１）が設けられ、その一側にベース（１０）のカットアウト（１３）に位置決められる湾曲状の位置決めプレート（３２）が設けられ、又、上蓋（３０）にベース（１０）の位置決めロッド（１５）と結合する第２位置決め孔（３３）と回路板（２０）の位置決めブロック（２３）と結合する位置決め溝（３４）が形成され、
前記カバー（４０）は、上蓋（３０）をカバーする。
【００１５】
前記上蓋（３０）の係合プレート（３１）の両側に幅が溝（１４）よりやや大きい係止部が設けられると共に、中央に凹部（３１０）が形成されることにより、上蓋（３０）とベース（１０）を結合する際、係合プレート（３１）がスムーズに溝（１４）に係止することができる。
【００１６】
本考案に係るメモリカードのアダプタを組合した後、ベース（１０）の位置決めロッド（１５）が回路板（２０）の第１位置決め孔（２２）と上蓋（３０）の第２位置決め孔（３３）を貫通し、又、上蓋（３０）の位置決め溝（３４）に回路板（２０）の位置決めブロック（２３）を位置決めることにより、ベース（１０）、回路板（２０）及び上蓋（３０）が位置決められる。又、上蓋（３０）における位置決めプレート（３２）により挿入溝（１１）に挿入したミニSDカードを位置決めることができる。更に、上蓋（３０）の両側における係合プレート（３１）の中央に凹部（３１０）が形成されるので、係合プレート（３１）がスムーズに溝（１４）に係止することができる。
【００１７】
本考案は上記の構成を有し、上蓋と一体形成する位置決めプレートにより、ミニSDカードを位置決め、上蓋の係合プレートの中央に凹部が形成されることにより、係合プレートがスムーズにベースの溝に係止するので、メモリカードのアダプタの製造コストを下げると共に、組合作業もより簡単になる。
【図面の簡単な説明】
【００１８】
【図１】本考案に係るメモリカードのアダプタの分解斜視図である。
【図２】本考案に係るメモリカードのアダプタの斜視図である。
【図３】本考案に係るメモリカードのアダプタの平面図である。
【図４】本考案に係るメモリカードのアダプタの断面図である。
【図５】従来のメモリカードのアダプタを示す斜視図である。
【図６】従来のメモリカードのアダプタを示す分解斜視図である。
【符号の説明】
【００１９】
１０        ベース
１１        挿入溝
１２        貫通溝
１３        カットアウト
１４        溝
１５        位置決めロッド
２０        回路板
２１        接続端子
２２        第１位置決め孔
２３        位置決めブロック
３０        上蓋
３１        係合プレート
３１０      凹部
３２        位置決めプレート
３３        第２位置決め孔
３４        位置決め溝
４０        カバー
８０        ベース
８１        挿入溝
８２        貫通溝
８３        係合リブ
８４        取付溝
８５        溝
８６        位置決めプレート
８６０      突出部
８７        回路板
８７０      接続端子
８８        上蓋
８８０      係合部
８８１      係合溝
８８２      係合プレート
８９        カバー
【図１】
0003113044.tif 000003
【図２】
0003113044.tif 000004
【図３】
0003113044.tif 000005
【図４】
0003113044.tif 000006
【図５】
0003113044.tif 000007
【図６】
0003113044.tif 000008